(57)【特許請求の範囲】
【請求項１】
液体を吐出するための吐出口が開口した吐出面を有する液体吐出部、前記液体吐出部に供給される液体を収容し且つ大気と連通した液体収容部、前記吐出面を封止することが可能なキャップ、及び、前記キャップが前記吐出面を封止する封止位置及び前記吐出面を封止しない非封止位置を選択的に取るように前記液体吐出部及び前記キャップの少なくとも一方を移動させるための移動機構を支持する記録モジュールと、
記録媒体を収容するための記録媒体収容部と、
前記記録モジュールを着脱可能に支持する筐体と、
前記筐体に設けられ、記録媒体を前記記録媒体収容部から前記記録モジュールへ搬送する搬送機構と、
前記移動機構によって前記キャップが前記封止位置に配置されているとき、前記記録モジュールの前記筐体からの着脱を許容し、前記移動機構によって前記キャップが前記非封止位置に配置されているとき、前記記録モジュールの前記筐体からの着脱を規制するように構成されたロック機構とを備えたことを特徴とする記録装置。
【請求項２】
前記筐体内に配置された電源と、
前記筐体に支持され、且つ、前記電源と電気的に接続され、前記電源から供給された電力を出力する電力出力端子とをさらに備えており、
前記記録モジュールは、前記移動機構と電気的に接続され、前記電力出力端子と電気的に接続したときに前記電力出力端子を介して入力される電力を前記移動機構に供給する電力入力端子をさらに支持しており、
前記記録モジュールが前記筐体に支持された状態において当該記録モジュールに記録媒体を供給可能に前記筐体に装着された装着位置にあるとき、前記電力入力端子が前記電力出力端子と電気的に接続し、前記記録モジュールが前記筐体から離脱した状態では、前記電力入力端子が前記電力出力端子と電気的に接続していないことを特徴とする請求項１に記載の記録装置。
【請求項３】
前記ロック機構は、前記記録モジュール及び前記筐体の一方に設けられ、他方に係合する係合位置及び他方に係合しない非係合位置を選択的に取ることが可能な係合部材を含み、前記係合部材が前記係合位置にあるときに前記記録モジュールの前記筐体からの着脱を規制し、前記係合部材が前記非係合位置にあるときに前記記録モジュールの前記筐体からの着脱を許容するように構成され、
前記液体吐出部及び前記キャップの少なくとも一方が移動することで前記キャップが前記非封止位置から前記封止位置に切り替えられたときに、前記係合部材が前記係合位置から前記非係合位置に切り替えられるように構成されていることを特徴とする請求項１又は２に記載の記録装置。
【請求項４】
前記ロック機構は、前記記録モジュール及び前記筐体の一方に設けられ、他方に係合することが可能な係合部材と、前記係合部材が他方に係合する係合位置及び他方に係合しない非係合位置を選択的に取るように前記係合部材を移動させるための係合部材移動機構とを含み、前記係合部材が前記係合位置にあるときに前記記録モジュールの前記筐体からの着脱を規制し、前記係合部材が前記非係合位置にあるときに前記記録モジュールの前記筐体からの着脱を許容するように構成され、
前記キャップが前記非封止位置から前記封止位置に切り替えられたことを検知するキャッピング検知処理と、前記キャップが前記非封止位置から前記封止位置に切り替えられたことが検知されたときに、前記係合部材が前記係合位置から前記非係合位置に切り替えられるように前記係合部材移動機構を制御するロック解除処理とを実行可能な制御部をさらに備えたことを特徴とする請求項２に記載の記録装置。
【請求項５】
前記記録モジュールは、前記筐体に支持された状態において、前記装着位置と、当該記録モジュールの前記筐体に対する移動経路に沿って前記装着位置から離れた引出位置との間で移動可能であり、前記装着位置から前記引出位置を経由して前記筐体から離脱され、
前記記録モジュールが前記装着位置から前記引出位置に移動するときに、前記電力入力端子と前記電力出力端子との電気的接続が解除され、
前記ロック機構及び前記制御部は、前記記録モジュールに設けられており、
前記電力入力端子は、前記制御部及び前記係合部材移動機構と電気的に接続され、前記電力出力端子と電気的に接続したときに前記電力出力端子を介して入力される電力を前記制御部及び前記係合部材移動機構に供給し、
前記記録モジュールは、前記電力入力端子と前記電力出力端子との電気的接続が解除されたときに前記制御部及び前記係合部材移動機構に電力を供給可能なモジュール電源をさらに支持していることを特徴とする請求項４に記載の記録装置。
【請求項６】
前記モジュール電源は、前記電力入力端子と前記電力出力端子との電気的接続が解除されたときに前記移動機構に電力を供給可能であり、
前記制御部は、記録媒体のジャム処理が完了したことを検知するジャム処理検知処理と、前記ジャム処理が完了したことが検知されたときに、前記キャップが前記非封止位置から前記封止位置に切り替えられるように前記移動機構を制御するキャッピング処理とをさらに実行可能であることを特徴とする請求項５に記載の記録装置。
【請求項７】
前記モジュール電源は、前記電力入力端子が前記電力出力端子と電気的に接続したときに、前記電源から供給された電力を蓄積可能に構成されていることを特徴とする請求項５又は６に記載の記録装置。
【請求項８】
前記制御部は、前記記録モジュールの前記筐体からの離脱に係る事象を検知する離脱検知処理と、前記事象が検知され、且つ、前記キャップが前記封止位置にない場合に、前記キャップを前記非封止位置から前記封止位置に切り替える必要があることを報知する報知処理とをさらに実行可能であることを特徴とする請求項４又は５に記載の記録装置。
【請求項９】
前記記録モジュールは、前記筐体に支持された状態において、前記装着位置と、当該記録モジュールの前記筐体に対する移動経路に沿って前記装着位置から離れた引出位置との間で移動可能であり、前記装着位置から前記引出位置を経由して前記筐体から離脱され、
前記電力出力端子と前記電力入力端子とを接続する導電性の接続部材であって、前記装着位置から前記引出位置に向かう引出方向に沿って伸縮自在であり、前記記録モジュールが前記装着位置から前記引出位置に移動する間、前記電力出力端子と前記電力入力端子との接続を維持可能な接続部材をさらに備えたことを特徴とする請求項２に記載の記録装置。
【請求項１０】
前記電力入力端子は、前記記録モジュールが前記筐体に対して着脱される着脱方向と平行な方向に前記接続部材と接続されており、前記記録モジュールが前記筐体から離脱されるときに前記接続部材から離隔するように構成されたことを特徴とする請求項９に記載の記録装置。
【発明の詳細な説明】
【技術分野】
【０００１】
本発明は、記録装置に関し、特に記録モジュールが筐体に対して着脱可能に支持された記録装置に関する。
【背景技術】
【０００２】
特許文献１には、複数の印刷ユニット（記録モジュール）を着脱可能に支持するプリンタ装置（記録装置）が開示されている（段落００８１参照）。各印刷ユニットには、インクジェットヘッド（液体吐出部）が支持されている（段落００５８参照）。特許文献１の装置では、印刷ユニットの台数を増減することにより、装置全体としての印刷能力を調整することができる。
【先行技術文献】
【特許文献】
【０００３】
【特許文献１】特開２００５−５３０１６号公報
【発明の概要】
【発明が解決しようとする課題】
【０００４】
特許文献１において、各印刷ユニットに、インクジェットヘッドの他、ヘッドに供給されるインク（液体）を収容し且つ大気と連通した液体収容部が支持されていると仮定した場合、以下のような問題が生じ得る。即ち、特許文献１において、装置の筐体から離脱された印刷ユニットは、任意の姿勢を取ることができる。印刷ユニットが取る姿勢によっては、ヘッドと液体収容部との水頭差のバランスが崩れてしまい、ヘッドの吐出口から液体が漏れ出し、当該液体が記録モジュール内で飛散し得る。同様の問題は、筐体に対して着脱可能な記録モジュールを１つだけ有する記録装置においても生じ得る。
【０００５】
本発明の目的は、筐体から離脱された記録モジュールにおいて吐出口から漏出した液体が記録モジュール内で飛散するのを抑制することができる記録装置を提供することである。
【課題を解決するための手段】
【０００６】
本発明に係る記録装置は、液体を吐出するための吐出口が開口した吐出面を有する液体吐出部、前記液体吐出部に供給される液体を収容し且つ大気と連通した液体収容部、前記吐出面を封止することが可能なキャップ、及び、前記キャップが前記吐出面を封止する封止位置及び前記吐出面を封止しない非封止位置を選択的に取るように前記液体吐出部及び前記キャップの少なくとも一方を移動させるための移動機構を支持する記録モジュールと、記録媒体を収容するための記録媒体収容部と、前記記録モジュールを着脱可能に支持する筐体と、前記筐体に設けられ、記録媒体を前記記録媒体収容部から前記記録モジュールへ搬送する搬送機構と、前記移動機構によって前記キャップが前記封止位置に配置されているとき、前記記録モジュールの前記筐体からの着脱を許容し、前記移動機構によって前記キャップが前記非封止位置に配置されているとき、前記記録モジュールの前記筐体からの着脱を規制するように構成されたロック機構とを備えたことを特徴とする。
【０００７】
本発明によれば、ロック機構により、キャップが封止位置にあるときだけ記録モジュールの筐体からの着脱が許可される。したがって、筐体から離脱した記録モジュールにおいて、水頭差のバランスが崩れて吐出口から液体が漏れ出したとしても、当該液体はキャップにより受容される。これにより、筐体から離脱された記録モジュールにおいて吐出口から漏れ出した液体が記録モジュール内で飛散するのを抑制することができる。
【０００８】
本発明に係る記録装置は、前記筐体内に配置された電源と、前記筐体に支持され、且つ、前記電源と電気的に接続され、前記電源から供給された電力を出力する電力出力端子とをさらに備えており、前記記録モジュールは、前記移動機構と電気的に接続され、前記電力出力端子と電気的に接続したときに前記電力出力端子を介して入力される電力を前記移動機構に供給する電力入力端子をさらに支持しており、前記記録モジュールが前記筐体に支持された状態において当該記録モジュールに記録媒体を供給可能に前記筐体に装着された装着位置にあるとき、前記電力入力端子が前記電力出力端子と電気的に接続し、前記記録モジュールが前記筐体から離脱した状態では、前記電力入力端子が前記電力出力端子と電気的に接続しなくてよい。
【０００９】
上記構成によれば、記録媒体のジャムが生じた場合、通常、キャップは非封止位置にある。この場合に記録モジュールを筐体から離脱させてジャム処理を行おうとすると、電力入力端子が電力出力端子と電気的に接続せず、移動機構に電力が供給されない状態になる。そのため、キャップを非封止位置から封止位置に切り替えることができず、水頭差のバランスが崩れて吐出口から漏れ出した液体が記録モジュール内に飛散するという問題が生じ得る。しかし本発明では、ロック機構により、キャップが封止位置にあるときだけ記録モジュールの筐体からの着脱が許可されるようにしたことで、当該問題を抑制することができる。
【００１０】
前記ロック機構は、前記記録モジュール及び前記筐体の一方に設けられ、他方に係合する係合位置及び他方に係合しない非係合位置を選択的に取ることが可能な係合部材を含み、前記係合部材が前記係合位置にあるときに前記記録モジュールの前記筐体からの着脱を規制し、前記係合部材が前記非係合位置にあるときに前記記録モジュールの前記筐体からの着脱を許容するように構成され、前記液体吐出部及び前記キャップの少なくとも一方が移動することで前記キャップが前記非封止位置から前記封止位置に切り替えられたときに、前記係合部材が前記係合位置から前記非係合位置に切り替えられるように構成されてよい。
【００１１】
上記構成によれば、ロック解除（係合部材の係合位置から非係合位置への切り替え）を電気的な制御ではなく機械的な機構で実現するため、記録モジュールへの電力供給が遮断された場合に特に有効である。
【００１２】
前記ロック機構は、前記記録モジュール及び前記筐体の一方に設けられ、他方に係合することが可能な係合部材と、前記係合部材が他方に係合する係合位置及び他方に係合しない非係合位置を選択的に取るように前記係合部材を移動させるための係合部材移動機構とを含み、前記係合部材が前記係合位置にあるときに前記記録モジュールの前記筐体からの着脱を規制し、前記係合部材が前記非係合位置にあるときに前記記録モジュールの前記筐体からの着脱を許容するように構成され、本発明に係る記録装置は、前記キャップが前記非封止位置から前記封止位置に切り替えられたことを検知するキャッピング検知処理と、前記キャップが前記非封止位置から前記封止位置に切り替えられたことが検知されたときに、前記係合部材が前記係合位置から前記非係合位置に切り替えられるように前記係合部材移動機構を制御するロック解除処理とを実行可能な制御部をさらに備えてよい。
【００１３】
上記構成によれば、ロック解除を電気的な制御で実現するため、係合部材移動機構を比較的簡単な構成にすることができる。
【００１４】
前記記録モジュールは、前記筐体に支持された状態において、前記装着位置と、当該記録モジュールの前記筐体に対する移動経路に沿って前記装着位置から離れた引出位置との間で移動可能であり、前記装着位置から前記引出位置を経由して前記筐体から離脱され、前記記録モジュールが前記装着位置から前記引出位置に移動するときに、前記電力入力端子と前記電力出力端子との電気的接続が解除され、前記ロック機構及び前記制御部は、前記記録モジュールに設けられており、前記電力入力端子は、前記制御部及び前記係合部材移動機構と電気的に接続され、前記電力出力端子と電気的に接続したときに前記電力出力端子を介して入力される電力を前記制御部及び前記係合部材移動機構に供給し、前記記録モジュールは、前記電力入力端子と前記電力出力端子との電気的接続が解除されたときに前記制御部及び前記係合部材移動機構に電力を供給可能なモジュール電源をさらに支持してよい。
【００１５】
上記構成によれば、記録モジュールが装着位置から引出位置に移動し、電力入力端子と電力出力端子との電気的接続が解除された場合でも、制御部は、モジュール電源からの電力供給により、キャッピング検知処理及びロック解除処理を行うことができる。したがって、ユーザが特に意識しなくとも、キャップが封止位置にある状態でロックが解除され、記録モジュール内での液体の飛散を抑制しつつ、記録モジュールを筐体から離脱させることができる。
【００１６】
前記モジュール電源は、前記電力入力端子と前記電力出力端子との電気的接続が解除されたときに前記移動機構に電力を供給可能であり、前記制御部は、記録媒体のジャム処理が完了したことを検知するジャム処理検知処理と、前記ジャム処理が完了したことが検知されたときに、前記キャップが前記非封止位置から前記封止位置に切り替えられるように前記移動機構を制御するキャッピング処理とをさらに実行可能であってよい。
【００１７】
上記構成によれば、記録モジュールが装着位置から引出位置に移動し、電力入力端子と電力出力端子との電気的接続が解除された場合でも、制御部は、モジュール電源からの電力供給により、ジャム処理が完了した後にキャッピング処理を行うことができる。そのため、キャップを非封止位置から封止位置に切り替えるためにユーザが液体吐出部及びキャップの少なくとも一方を手動で移動させる必要がない。
【００１８】
前記モジュール電源は、前記電力入力端子が前記電力出力端子と電気的に接続したときに、前記電源から供給された電力を蓄積可能に構成されてよい。
【００１９】
上記構成によれば、モジュール電源に対する充電を、追加の構成要素を付加することなく行うことができる。
【００２０】
前記制御部は、前記記録モジュールの前記筐体からの離脱に係る事象を検知する離脱検知処理と、前記事象が検知され、且つ、前記キャップが前記封止位置にない場合に、前記キャップを前記非封止位置から前記封止位置に切り替える必要があることを報知する報知処理とをさらに実行可能であってよい。
【００２１】
上記構成によれば、報知に応じてユーザが液体吐出部及びキャップの少なくとも一方を手動で移動させ、キャップが非封止位置から封止位置に切り替えられれば、制御部のロック解除処理によりロックが解除され、記録モジュール内での液体の飛散を抑制しつつ、記録モジュールを筐体から離脱させることができる。
【００２２】
前記記録モジュールは、前記筐体に支持された状態において、前記装着位置と、当該記録モジュールの前記筐体に対する移動経路に沿って前記装着位置から離れた引出位置との間で移動可能であり、前記装着位置から前記引出位置を経由して前記筐体から離脱され、本発明に係る記録装置は、前記電力出力端子と前記電力入力端子とを接続する導電性の接続部材であって、前記装着位置から前記引出位置に向かう引出方向に沿って伸縮自在であり、前記記録モジュールが前記装着位置から前記引出位置に移動する間、前記電力出力端子と前記電力入力端子との接続を維持可能な接続部材をさらに備えてよい。
【００２３】
上記構成によれば、記録モジュールが引出位置にあるときに、電力入力端子と電力出力端子との電気的接続が解除されていないので、移動機構を駆動してキャップを非封止位置から封止位置に切り替えることができる。
【００２４】
前記電力入力端子は、前記記録モジュールが前記筐体に対して着脱される着脱方向と平行な方向に前記接続部材と接続されており、前記記録モジュールが前記筐体から離脱されるときに前記接続部材から離隔するように構成されてよい。
【００２５】
上記構成によれば、記録モジュールを筐体から離脱させる動作によって電力入力端子と電力出力端子との電気的接続が解除されるため、電気的接続解除のための追加の作業が不要であり、ユーザの負担を軽減することができる。
【発明の効果】
【００２６】
本発明によれば、ロック機構により、キャップが封止位置にあるときだけ記録モジュールの筐体からの着脱が許可される。したがって、筐体から離脱した記録モジュールにおいて、水頭差のバランスが崩れて吐出口から液体が漏れ出したとしても、当該液体はキャップにより受容される。これにより、筐体から離脱された記録モジュールにおいて吐出口から漏れ出した液体が記録モジュール内で飛散するのを抑制することができる。
【図面の簡単な説明】
【００２７】
【図１】本発明の第１実施形態に係るインクジェットプリンタの内部を示す側面図である。
【図２】（ａ）は、本発明の第１実施形態に係るインクジェットプリンタに含まれる記録モジュールの内部を示す平面図である。（ｂ）は、記録モジュールの内部を示す正面図である。（ｃ）は、記録モジュールの内部を示す側面図である。
【図３】本発明の第１実施形態に係るインクジェットプリンタの電気的構成を示すブロック図である。
【図４】１の記録モジュールが引出位置にある状態を示す斜視図である。
【図５】１の記録モジュールが引出位置にある状態を示す、図４と反対側から見た斜視図である。
【図６】（ａ）は、係合部材が係合位置にある状態を示す、図６（ｂ）のＶＩＡ−ＶＩＡ線に沿った部分断面図である。（ｂ）は、係合部材が係合位置にある状態を示す、記録モジュールの一部切り欠き斜視断面図である。（ｃ）は、係合部材が非係合位置にある状態を示す、図６（ｄ）のＶＩＣ−ＶＩＣ線に沿った部分断面図である。（ｄ）は、係合部材が非係合位置にある状態を示す、記録モジュールの一部切り欠き斜視断面図である。
【図７】（ａ）は、本発明の第２実施形態に係るインクジェットプリンタにおいて、係合部材が係合位置にある状態を示す、図６（ａ）に対応する部分断面図である。（ｂ）は、発明の第２実施形態に係るインクジェットプリンタにおいて、係合部材が非係合位置にある状態を示す、図６（ｃ）に対応する部分断面図である。（ｂ）は、
【図８】本発明の第２実施形態に係るインクジェットプリンタの電気的構成を示すブロック図である。
【図９】本発明の第２実施形態に係るインクジェットプリンタにおいて、モジュール制御部が実行する制御内容を示すフロー図である。
【図１０】本発明の第３実施形態に係るインクジェットプリンタにおいて、モジュール制御部が実行する制御内容を示すフロー図である。
【図１１】（ａ）は、本発明の第４実施形態に係るインクジェットプリンタにおいて、記録モジュールが装着位置にある状態を示す部分断面部である。（ｂ）は、本発明の第４実施形態に係るインクジェットプリンタにおいて、記録モジュールが引出位置にある状態を示す部分断面部である。
【発明を実施するための形態】
【００２８】
本発明の第１実施形態に係るインクジェットプリンタ（以下、単に「プリンタ」という。）１は、図１に示すように、直方体形状の筐体１ａと、筐体１ａの一側面に設けられたカバー１ｂとを含む。筐体１ａ内には、搬送機構２０及び制御ユニット１００が配置されている。筐体１ａの天板上部には、用紙受容部４が設けられている。また、筐体１ａには、記録モジュール５０ａ〜５０ｃ及び用紙収容部３がそれぞれ移動可能且つ着脱可能に支持されている。
【００２９】
用紙収容部３及び用紙受容部４は、葉書サイズ、Ａ６サイズ、Ａ４サイズ、レターサイズ、及びＡ３サイズを含む複数種類のサイズの用紙Ｐを、それぞれ複数枚収容及び受容可能である。用紙収容部３は、本発明に係る「記録媒体（用紙Ｐ）を収容するための記録媒体収容部」に該当する。
【００３０】
搬送機構２０は、用紙Ｐを用紙収容部３から各記録モジュール５０ａ〜５０ｃを経由させて用紙受容部４まで搬送するように構成されており、上流搬送機構２０ｘ及び下流搬送機構２０ｙを含む。上流搬送機構２０ｘが、本発明に係る「搬送機構」に該当する。
【００３１】
上流搬送機構２０ｘは、用紙Ｐを用紙収容部３から各記録モジュール５０ａ〜５０ｃまで搬送するように構成されており、給紙ローラ２１、ローラ対２２ａ〜２２ｆ、ガイド２３ａ〜２３ｇ及び切替部２８ａ，２８ｂを含む。給紙ローラ２１は、用紙収容部３内で最も上方にある用紙Ｐの表面と接触するように配置されている。各ローラ対２２ａ〜２２ｆは、互いに接触する２つのローラを含む。給紙ローラ２１、及び、各ローラ対２２ａ〜２２ｆのうちの一方のローラは、制御ユニット１００による制御の下、上流搬送モータ２０ｘＭ（図３参照）の駆動により回転する駆動ローラである。各ローラ対２２ａ〜２２ｆのうち他方のローラは、上記一方のローラの回転に伴って回転する従動ローラである。各ローラ対２２ａ〜２２ｆにおいて、一方のローラ及び他方のローラは、用紙Ｐを挟持しつつ互いに逆方向に回転する。各ガイド２３ａ〜２３ｇは、その厚み方向に互いに離隔した一対のガイド板を含む。各ガイド２３ａ〜２３ｇの一対のガイド板間の空間、及び、各ローラ対２２ａ〜２２ｆのローラ同士の接触点によって、経路Ｒ１ｘ〜Ｒ３ｘを含む上流経路が形成されている。
【００３２】
各経路Ｒ１ｘ〜Ｒ３ｘは、用紙収容部３から各記録モジュール５０ａ〜５０ｃのモジュール内経路Ｒａ〜Ｒｃの上流端部まで延在している。経路Ｒ１ｘ，Ｒ２ｘは、用紙収容部３から分岐位置Ａ１まで互いに共通の部分を有し、分岐位置Ａ１において分岐して、互いに異なる記録モジュール５０ａ，５０ｂに向かう。経路Ｒ２ｘ，Ｒ３ｘは、用紙収容部３から分岐位置Ａ２まで互いに共通の部分を有し、分岐位置Ａ２において分岐して、互いに異なる記録モジュール５０ｂ，５０ｃに向かう。
【００３３】
また、各経路に着目すると、経路Ｒ１ｘは、２つの分岐位置Ａ１，Ａ２を含み、且つ、用紙収容部３から分岐位置Ａ２までの経路Ｒ２ｘ，Ｒ３ｘと共有される共通部分と、分岐位置Ａ２から分岐位置Ａ１までの経路Ｒ２ｘと共有される共通部分と、分岐位置Ａ１から記録モジュール５０ａまでの他のいずれの経路とも共有されない個別部分とを含む。経路Ｒ２ｘは、２つの分岐位置Ａ１，Ａ２を含み、且つ、用紙収容部３から分岐位置Ａ２までの経路Ｒ１ｘ，Ｒ３ｘと共有される共通部分と、分岐位置Ａ２から分岐位置Ａ１までの経路Ｒ１ｘと共有される共通部分と、分岐位置Ａ１から記録モジュール５０ｂまでの他のいずれの経路とも共有されない個別部分とを含む。経路Ｒ３ｘは、１つの分岐位置Ａ２を含み、且つ、用紙収容部３から分岐位置Ａ２までの経路Ｒ１ｘ，Ｒ２ｘと共有される共通部分と、分岐位置Ａ２から記録モジュール５０ｃまでの他のいずれの経路とも共有されない個別部分とを含む。
【００３４】
切替部２８ａ，２８ｂは、それぞれ、分岐位置Ａ１，Ａ２において用紙Ｐの搬送先を切り替えるためのものである。具体的には、切替部２８ａは、分岐位置Ａ１において用紙Ｐの搬送先を経路Ｒ１ｘの個別部分と経路Ｒ２ｘの個別部分とのいずれかに切り替えるように構成されている。切替部２８ｂは、分岐位置Ａ２において用紙Ｐの搬送先を経路Ｒ１ｘ，Ｒ２ｘの共通部分と経路Ｒ３ｘの個別部分とのいずれかに切り替えるように構成されている。
【００３５】
切替部２８ａ，２８ｂは、それぞれ、揺動部材２８ａ１，２８ｂ１及び切替モータ２８ａＭ，２８ｂＭ（図３参照）を含む。揺動部材２８ａ１，２８ｂ１は、それぞれ、軸２８ａｘ，２８ｂｘを中心として揺動可能であり、制御ユニット１００による制御の下、切替モータ２８ａＭ，２８ｂＭが駆動されることで、図１に実線で示す鉛直位置及び図１に点線で示す傾斜位置を選択的に取ることが可能である。
【００３６】
揺動部材２８ａ１が鉛直位置にあるとき、分岐位置Ａ１において、経路Ｒ１ｘの個別部分は開放され、経路Ｒ２ｘの個別部分は閉塞される。したがって、用紙収容部３から分岐位置Ａ１まで搬送された用紙Ｐは、経路Ｒ１ｘの個別部分に導かれ、記録モジュール５０ａに向けて搬送される。揺動部材２８ａ１が傾斜位置にあるとき、分岐位置Ａ１において、経路Ｒ１ｘの個別部分は閉塞され、経路Ｒ２ｘの個別部分は開放される。したがって、用紙収容部３から分岐位置Ａ１まで搬送された用紙Ｐは、経路Ｒ２ｘの個別部分に導かれ、記録モジュール５０ｂに向けて搬送される。
【００３７】
揺動部材２８ｂ１が鉛直位置にあるとき、分岐位置Ａ２において、経路Ｒ１ｘ，Ｒ２ｘの共通部分は開放され、経路Ｒ３ｘの個別部分は閉塞される。したがって、用紙収容部３から分岐位置Ａ２まで搬送された用紙Ｐは、経路Ｒ１ｘ，Ｒ２ｘの共通部分に導かれ、分岐位置Ａ１に向けて搬送される。揺動部材２８ｂ１が傾斜位置にあるとき、分岐位置Ａ２において、経路Ｒ１ｘ，Ｒ２ｘの共通部分は閉塞され、経路Ｒ３ｘの個別部分は開放される。したがって、用紙収容部３から分岐位置Ａ２まで搬送された用紙Ｐは、経路Ｒ３ｘの個別部分に導かれ、記録モジュール５０ｃに向けて搬送される。
【００３８】
各経路Ｒ１ｘ〜Ｒ３ｘの個別部分に対向する位置に、用紙センサ６ａ〜６ｃが配置されている。各用紙センサ６ａ〜６ｃは、検知位置６ａｘ〜６ｃｘにおける用紙Ｐの有無を示す信号を出力するものであり、当該検知位置６ａｘ〜６ｃｘに用紙Ｐが有るときにＯＮ信号、用紙Ｐが無いときにＯＦＦ信号を出力する。各検知位置６ａｘ〜６ｃｘは、当該経路Ｒ１ｘ〜Ｒ３ｘの個別部分の下流端部に定められている。
【００３９】
下流搬送機構２０ｙは、各記録モジュール５０ａ〜５０ｃから搬送された用紙Ｐを用紙受容部４まで搬送するように構成されており、ローラ対２５ａ〜２５ｄ及びガイド２６ａ〜２６ｄを含む。各ローラ対２５ａ〜２５ｄは、互いに接触する２つのローラを含む。各ローラ対２５ａ〜２５ｄのうちの一方のローラは、制御ユニット１００による制御の下、下流搬送モータ２０ｙＭ（図３参照）の駆動により回転する駆動ローラである。各ローラ対２５ａ〜２５ｄのうち他方のローラは、上記一方のローラの回転に伴って回転する従動ローラである。各ローラ対２５ａ〜２５ｄにおいて、一方のローラ及び他方のローラは、用紙Ｐを挟持しつつ互いに逆方向に回転する。各ガイド２６ａ〜２６ｄは、その厚み方向に互いに離隔した一対のガイド板を含む。各ガイド２６ａ〜２６ｄの一対のガイド板間の空間、及び、各ローラ対２５ａ〜２５ｄのローラ同士の接触点によって、経路Ｒ１ｙ〜Ｒ３ｙを含む下流経路が形成されている。
【００４０】
各経路Ｒ１ｙ〜Ｒ３ｙは、各記録モジュール５０ａ〜５０ｃのモジュール内経路Ｒａ〜Ｒｃの下流端部から用紙受容部４まで延在している。経路Ｒ１ｙ，Ｒ２ｙは、互いに異なる記録モジュール５０ａ，５０ｂから延在し、合流位置Ｂ１において合流して、合流位置Ｂ１から用紙受容部４まで互いに共通の部分を有する。経路Ｒ２ｙ，Ｒ３ｙは、互いに異なる記録モジュール５０ｂ，５０ｃから延在し、合流位置Ｂ２において合流して、合流位置Ｂ２から用紙受容部４まで互いに共通の部分を有する。
【００４１】
また、各経路に着目すると、経路Ｒ１ｙは、１つの合流位置Ｂ１を含み、且つ、記録モジュール５０ａから合流位置Ｂ１までの他のいずれの経路とも共有されない個別部分と、合流位置Ｂ１から用紙受容部４までの経路Ｒ２ｙ，Ｒ３ｙと共有される共通部分とを含む。経路Ｒ２ｙは、２つの合流位置Ｂ１，Ｂ２を含み、且つ、記録モジュール５０ｂから合流位置Ｂ２までの他のいずれの経路とも共有されない個別部分と、合流位置Ｂ２から合流位置Ｂ１までの経路Ｒ３ｙと共有される共通部分と、合流位置Ｂ１から用紙受容部４までの経路Ｒ１ｙ，Ｒ３ｙと共有される共通部分とを含む。経路Ｒ３ｙは、２つの合流位置Ｂ１，Ｂ２を含み、且つ、記録モジュール５０ｃから合流位置Ｂ２までの他のいずれの経路とも共有されない個別部分と、合流位置Ｂ２から合流位置Ｂ１までの経路Ｒ２ｙと共有される共通部分と、合流位置Ｂ１から用紙受容部４までの経路Ｒ１ｙ，Ｒ２ｙと共有される共通部分とを含む。
【００４２】
カバー１ｂは、鉛直方向に沿った軸１ｂｘを中心として筐体１ａに対して移動可能（回動可能）に取り付けられており、記録モジュール５０ａ〜５０ｃを筐体１ａの外部に露出させて記録モジュール５０ａ〜５０ｃを筐体１ａに対して移動可能とする開位置（図１に一点鎖線で示す位置）、及び、記録モジュール５０ａ〜５０ｃを覆って記録モジュール５０ａ〜５０ｃを筐体１ａに対して移動不能とする閉位置（図１に実線で示す位置）を選択的に取ることが可能である。記録モジュール５０ａ〜５０ｃの筐体１ａに対する移動や着脱は、カバー１ｂを開位置に保持した状態で行われる。鉛直方向において、カバー１ｂの長さＨｂは、記録モジュール５０ａ〜５０ｃ全体の長さＨ以上である。また、カバー１ｂには、下流搬送機構２０ｙの構成要素のうちローラ対２５ｄを除く構成要素が設けられている。
【００４３】
記録モジュール５０ａ〜５０ｃは、鉛直方向に並んで配置されている。換言すると、筐体１ａは、記録モジュール５０ａ〜５０ｃを鉛直方向に並列に支持している。鉛直方向において、記録モジュール５０ａ〜５０ｃのうち、記録モジュール５０ａが、用紙収容部３から最も遠く且つ用紙受容部４に最も近い位置にある。鉛直方向において、記録モジュール５０ａ〜５０ｃのうち、記録モジュール５０ｃが、用紙収容部３に最も近く且つ用紙受容部４から最も遠い位置にある。
【００４４】
なお、本実施形態において、鉛直方向は、主走査方向及び副走査方向と直交する方向である。副走査方向は、水平面に平行で、且つ、経路Ｒ１ｘ〜Ｒ３ｘの下流部分、モジュール内経路Ｒａ〜Ｒｃ、及び経路Ｒ１ｙ〜Ｒ３ｙの上流部分と平行な方向である。主走査方向は、水平面に平行で、且つ、副走査方向と直交する方向である。
【００４５】
記録モジュール５０ａ〜５０ｃは、互いに同じ構成であり、それぞれ、モジュール筐体５と、モジュール筐体５内に収容された、インクジェットヘッド（以下、単に「ヘッド」という。）５１、キャリッジ５２、キャリッジ移動機構５２ｘ、モジュール搬送機構５３、プラテン５４、キャップ５５、インク収容部５７、基板５８及び連動機構５９とを含む（図１及び図２（ａ）〜（ｃ）参照）。各記録モジュール５０ａ〜５０ｃは、さらに、ロック機構６０を含む（図６（ａ），（ｂ）参照）。
【００４６】
ヘッド５１は、本発明に係る「液体吐出部」に該当する。ヘッド５１は、シリアル式であって、キャリッジ５２を介して筐体１ａに支持されている。ヘッド５１の上面はキャリッジ５２に固定されており、ヘッド５１の下面は複数の吐出口５１ｂ（図２（ａ）参照）が開口した吐出面５１ａである。制御ユニット１００による制御の下、吐出口５１ｂから所望タイミングでインクが吐出されることで、用紙Ｐに画像が記録される。なお、図２（ａ）では、キャリッジ５２の下方にあって点線で示すべき吐出口５１ｂを実線で描いている。
【００４７】
キャリッジ移動機構５２ｘは、図２（ａ）〜（ｃ）に示すように、ガイド５２ｇ１，５２ｇ２、プーリ５２ｐ１，５２ｐ２、ベルト５２ｂ及びキャリッジモータ５２Ｍを含む。ガイド５２ｇ１，５２ｇ２は、鉛直方向から見て矩形の形状を有し、副走査方向に互いに離隔している。ガイド５２ｇ１，５２ｇ２は、ヘッド５１の上部を挟み、且つ、キャリッジ５２の副走査方向両端を主走査方向にスライド可能に支持している。プーリ５２ｐ１，５２ｐ２は、ガイド５２ｇ２の主走査方向一端及び他端にそれぞれ回転可能に支持されている。プーリ５２ｐ１，５２ｐ２は、直径が互いに同じであり、副走査方向に関して互いに同じ位置に配置されている。ベルト５２ｂは、プーリ５２ｐ１，５２ｐ２に架け渡されたエンドレスベルトであり、プーリ５２ｐ１，５２ｐ２の回転に伴って走行する。キャリッジ５２は、ベルト５２ｂに固定されている。キャリッジモータ５２Ｍは、鉛直方向に長尺な円柱形状を有し、ガイド５２ｇ２の下面に固定されている。キャリッジモータ５２Ｍの回転軸は、プーリ５２ｐ１に取り付けられており、鉛直方向に延在している。プーリ５２ｐ１は、駆動プーリであり、制御ユニット１００による制御の下、キャリッジモータ５２Ｍの駆動により正逆回転する。これに伴い、ベルト５２ｂが走行する。プーリ５２ｐ２は、従動プーリであり、ベルト５２ｂの走行に伴って回転する。このようなキャリッジ移動機構５２ｘの各部の動作に伴い、キャリッジ５２がヘッド５１を支持しつつ主走査方向に往復移動する。
【００４８】
モジュール搬送機構５３は、用紙Ｐをモジュール内経路Ｒａ〜Ｒｃに沿って搬送方向Ｄ（副走査方向と平行な方向）に間欠的に搬送するように構成されており、ローラ対５３ａ，５３ｂ及びモジュール搬送モータ５３Ｍ（図３参照）を含む。ローラ対５３ａは、ヘッド５１よりも搬送方向Ｄの上流に配置されている。ローラ対５３ｂは、ヘッド５１よりも搬送方向Ｄの下流に配置されている。各ローラ対５３ａ，５３ｂは、互いに接触する２つのローラを含む。各ローラ対５３ａ，５３ｂのうちの一方のローラは、制御ユニット１００による制御の下、モジュール搬送モータ５３Ｍの駆動により回転する駆動ローラである。各ローラ対５３ａ，５３ｂのうちの他方のローラは、上記一方のローラの回転に伴って回転する従動ローラである。各ローラ対５３ａ，５３ｂにおいて、一方のローラ及び他方のローラは、用紙Ｐを挟持しつつ互いに逆方向に回転する。これにより、用紙Ｐが搬送方向Ｄに搬送される。各ローラ対５３ａ，５３ｂのローラ同士の接触点によって、吐出面５１ａと対向する位置を通過するように、モジュール内経路Ｒａ〜Ｒｃが形成されている。
【００４９】
プラテン５４は、ローラ対５３ａ，５３ｂの間であって、吐出面５１ａと対向する位置に配置されている。プラテン５４の上面は、用紙Ｐを支持するための支持面５４ａであり、吐出面５１ａとの間に記録に適した間隙を形成している。
【００５０】
ローラ対５３ａ，５３ｂ及びプラテン５４は、一対のフランジ５６によって支持されている。一対のフランジ５６は、副走査方向に延在し、主走査方向に互いに離隔している。
【００５１】
キャップ５５は、図２（ａ）に示すように、ヘッド５１のキャッピング位置（キャリッジ５２によるヘッド５１の可動範囲における主走査方向一端）の下方に配置されており、吐出面５１ａを封止することが可能な凹状の部材である。キャップ５５によって吐出面５１ａが封止されることで、吐出口５１ｂ近傍の乾燥が防止され、吐出性能の悪化が抑制される。制御ユニット１００は、例えば記録指令を所定時間以上受信しない場合に、キャリッジ移動機構５２ｘを駆動させ、ヘッド５１をキャッピング位置に配置する。このときキャップ５５は封止位置（吐出面５１ａを封止する位置）を取る。また、制御ユニット１００は、キャップ５５が封止位置にあるときに記録指令を受信した場合、キャリッジ移動機構５２ｘを駆動させ、ヘッド５１をキャッピング位置から退避させて主走査方向に往復移動させる。このときキャップ５５は吐出面５１ａを封止しない非封止位置を取る。つまり、キャリッジ移動機構５２ｘは、本発明に係る「キャップ５５が封止位置及び非封止位置を選択的に取るようにヘッド５１及びキャップ５５の少なくとも一方を移動させるための移動機構」に該当する。
【００５２】
インク収容部５７は、インクを収容し、且つ、大気と連通している。また、インク収容部５７は、チューブ（図示略）を介してヘッド５１と連通している。インク収容部５７内に収容されたインクは、制御ユニット１００による制御の下、インク供給ポンプ５７Ｐ（図３参照）の駆動により、チューブを介してヘッド５１に供給される。インク収容部５７は、本発明に係る「液体収容部」に該当する。
【００５３】
基板５８には、メモリ５８Ｍ（図３参照）が実装されている。メモリ５８Ｍは、当該記録モジュール５０ａ〜５０ｃ独自の情報（製造年月日等）を記憶してよい。
【００５４】
連動機構５９は、キャリッジ移動機構５２ｘと連動してヘッド５１を主走査方向に移動させる機構であり、プーリ５２ｐ２の上面に固定されたギヤ５９ａと、ギヤ５９ａに噛合するギヤ５９ｂと、ギヤ５９ｂに噛合するギヤ５９ｃと、ギヤ５９ｃに噛合可能なギヤ５９ｄを有する操作部材５９ｘとを含む。操作部材５９ｘは、ユーザにより操作可能な部材であり、ギヤ５９ｄと、ギヤ５９ｄの上面に固定された円盤５９ｅとを含む。操作部材５９ｘは、鉛直方向に移動可能にモジュール筐体５に支持されており、鉛直方向に移動することで、ギヤ５９ｄがギヤ５９ｃに噛合する噛合位置、及び、ギヤ５９ｄがギヤ５９ｃに噛合しない非噛合位置（図２（ｂ），（ｃ）に示す位置）を選択的に取ることが可能である。操作部材５９ｘは、ギヤ５９ｄの下面に固定されたばね５９Ｓによって、噛合位置から非噛合位置に向けて（上方に）付勢されている。通常（記録動作が行われるとき等）、操作部材５９ｘは、記録動作の妨げにならないよう、非噛合位置に配置されている。一方、記録モジュール５０ａ〜５０ｃを筐体１ａから離脱させる際に、キャップ５５が封止位置に配置されておらず、記録モジュール５０ａ〜５０ｃを筐体１ａから離脱させることができない場合に、ユーザが、操作部材５９ｘを押下し、操作部材５９ｘを噛合位置に配置する。この状態で円盤５９ｅを回すことで、ギヤ５９ａ〜５９ｄが回転し、当該回転がプーリ５２ｐ２を介してキャリッジ移動機構５２ｘに伝達され、ヘッド５１が主走査方向に移動する。
【００５５】
モジュール筐体５は、図４及び図５に示すように、４つの側壁５ｗ１〜５ｗ４、上壁５ｗ５及び下壁５ｗ６を有する。記録モジュール５０ａ〜５０ｃが筐体１ａに支持された状態において、側壁５ｗ１，５ｗ２は鉛直方向及び主走査方向に延在し、側壁５ｗ３，５ｗ４は鉛直方向及び副走査方向に延在し、上壁５ｗ５及び下壁５ｗ６は水平方向に延在する。また、側壁５ｗ１はローラ対５３ａよりも搬送方向Ｄの下流に配置され、側壁５ｗ２はローラ対５３ａよりも搬送方向Ｄの上流に配置されている。
【００５６】
記録モジュール５０ａ〜５０ｃは、個別に、筐体１ａに対して搬送方向Ｄに沿って移動可能であり、さらに筐体１ａに対して着脱可能である。記録モジュール５０ａ〜５０ｃの筐体１ａに対する移動や着脱は、例えばジャム処理、記録モジュール５０ａ〜５０ｃそのもの又はその構成部品（インク収容部５７や基板５８）の交換等の際に、ユーザによって行われる。
【００５７】
各記録モジュール５０ａ〜５０ｃは、筐体１ａに支持された状態において、経路Ｒ１ｘ〜Ｒ３ｘからモジュール内経路Ｒａ〜Ｒｃに用紙Ｐを供給可能に筐体１ａに装着された装着位置（図１に実線で示す位置。図４及び図５の記録モジュール５０ａ，５０ｂ参照）と、搬送方向Ｄと平行な移動経路Ｒｘａ〜Ｒｘｃに沿って装着位置から搬送方向Ｄに最も離れた引出位置（図１に一点鎖線で示す位置。図４及び図５の記録モジュール５０ｃ参照）との間で移動可能である。記録モジュール５０ａ〜５０ｃが装着位置にあるとき、ローラ対５３ａ，５３ｂは共に筐体１ａの内部に配置されており、記録モジュール５０ａ〜５０ｃが引出位置にあるとき、ローラ対５３ａ，５３ｂは共に筐体１ａの外部に配置されている。各記録モジュール５０ａ〜５０ｃは、搬送方向Ｄにおいて図１に一点鎖線で示す開位置にあるカバー１ｂの領域内で移動可能であり、引出位置にあるとき、開位置にあるカバー１ｂよりも搬送方向Ｄの下流に突出しない。
【００５８】
なお、各記録モジュール５０ａ〜５０ｃの筐体１ａに対する移動及び着脱は、それぞれ、規制を解除して行われる。
【００５９】
各記録モジュール５０ａ〜５０ｃの筐体１ａに対する搬送方向Ｄに沿った移動は、各記録モジュール５０ａ〜５０ｃの側壁５ｗ３，５ｗ４に設けられた一対の可動部材５ｘ（図４及び図５参照）と、筐体１ａに記録モジュール５０ａ〜５０ｃ毎に設けられた一対の位置規制部（図示略）との当接によって、規制される。当該規制は、側壁５ｗ１に設けられた一対の移動規制解除部材５ｚを搬送方向Ｄに引っ張ることで、解除される。各可動部材５ｘは、側壁５ｗ３，５ｗ４と直交する方向に沿った軸５ｘａを中心として回動可能であり、軸５ｘａが設けられた一端とは反対側の他端に、側壁５ｗ３，５ｗ４と直交する方向に突出した突起５ｘｂを有する。突起５ｘｂと位置規制部の突起とが搬送方向Ｄに対向しつつ当接することで、記録モジュール５０ａ〜５０ｃの筐体１ａに対する搬送方向Ｄに沿った移動が規制される。移動規制解除部材５ｚが搬送方向Ｄに引っ張られると、可動部材５ｘが軸５ｘａを中心として回動し、突起５ｘｂが位置規制部の突起から離隔し且つ当該突起と搬送方向Ｄに対向しない状態となり、記録モジュール５０ａ〜５０ｃの筐体１ａに対する搬送方向Ｄに沿った移動の規制が解除される。このようにして規制が解除された状態で、記録モジュール５０ａ〜５０ｃを搬送方向Ｄに移動させることによって記録モジュール５０ａ〜５０ｃが筐体１ａから引き出され、また、記録モジュール５０ａ〜５０ｃを搬送方向Ｄと反対の方向に移動させることによって記録モジュール５０ａ〜５０ｃが筐体１ａ内に収容される。筐体１ａから引き出された記録モジュール５０ａ〜５０ｃが筐体１ａ内に収容され、記録モジュール５０ａ〜５０ｃが装着位置に到達すると、可動部材５ｘは、再び突起５ｘｂと位置規制部の突起とが搬送方向Ｄに対向しつつ当接する位置に配置される。
【００６０】
各記録モジュール５０ａ〜５０ｃは、筐体１ａに記録モジュール５０ａ〜５０ｃ毎に設けられた一対の可動レール１ｌによって側壁５ｗ３，５ｗ４が支持された状態で、筐体１ａに対して移動する（図４及び図５参照）。
【００６１】
筐体１ａには、記録モジュール５０ａ〜５０ｃ毎に、上記一対の可動レール１ｌと、一対の固定レール１ｍとが設けられている。各固定レール１ｍは、搬送方向Ｄに沿って延在し、筐体１ａに固定されている。各可動レール１ｌは、搬送方向Ｄに沿って延在し、且つ、搬送方向Ｄと平行な方向に移動可能に固定レール１ｍに支持されている。記録モジュール５０ａ〜５０ｃが筐体１ａに対して移動するとき、可動レール１ｌは、記録モジュール５０ａ〜５０ｃを支持しながら固定レール１ｍに対して移動する。
【００６２】
各記録モジュール５０ａ〜５０ｃの筐体１ａに対する着脱は、ロック機構６０により、側壁５ｗ４に設けられた係合部材６５が、一対の可動レール１ｌのうち側壁５ｗ４と対向する一方の可動レール１ｌに設けられた穴１ｌｘに係合することによって、規制される（図６（ａ）参照）。換言すると、各記録モジュール５０ａ〜５０ｃは、一対の可動レール１ｌに着脱可能に支持されている。当該規制は、係合部材６５を穴１ｌｘから退避させることで、解除される。ロック機構６０の具体的な構成については、後に詳述する。
【００６３】
なお、各記録モジュール５０ａ〜５０ｃの側壁５ｗ１及び上壁５ｗ５には、図４に示すように、開口５ａ，５ｂが設けられている。ジャム処理の際、ユーザは、記録モジュール５０ａ〜５０ｃを引出位置に配置し、又は、記録モジュール５０ａ〜５０ｃを筐体１ａから離脱させて、ジャムした用紙Ｐを開口５ａ，５ｂからモジュール筐体５外に取り出すことができる。
【００６４】
また、各記録モジュール５０ａ〜５０ｃの側壁５ｗ２には、図５に示すように、コネクタ５ｐ及び一対の凹部５ｑが設けられている。筐体１ａには、記録モジュール５０ａ〜５０ｃ毎に、装着位置にある記録モジュールの側壁５ｗ２と対向する対向部１ａｘが設けられている。各対向部１ａｘには、コネクタ１ｐ及び一対の凸部１ｑ（図１１（ａ），（ｂ）参照）が設けられている。一対の凸部１ｑが一対の凹部５ｑに挿入されることで、記録モジュール５０ａ〜５０ｃが筐体１ａに対して鉛直方向及び主走査方向に位置決めされる。
【００６５】
コネクタ１ｐには、図３に示す電力出力端子１ｐ１及び接点１ｐ２が設けられている。コネクタ５ｐには、電力入力端子５ｐ１及び接点５ｐ２が設けられている。電力出力端子１ｐ１は、筐体１ａ内に配置された電源１５０と電気的に接続されており、電源１５０から供給された電力を出力する。電力入力端子５ｐ１は、記録モジュール５０ａ〜５０ｃにおいて電力供給が必要な要素（ヘッド５１、キャリッジモータ５２Ｍ、モジュール搬送モータ５３Ｍ、インク供給ポンプ５７Ｐ及びメモリ５８Ｍ）と電気的に接続されており、電力出力端子１ｐ１と電気的に接続したときに電力出力端子１ｐ１を介して入力される電力を上記要素に供給する。
【００６６】
記録モジュール５０ａ〜５０ｃが装着位置にあるとき、コネクタ１ｐ，５ｐが係合している。このとき、電力出力端子１ｐ１と電力入力端子５ｐ１とが互いに接触して電気的に接続しており、電源１５０から電力出力端子１ｐ１及び電力入力端子５ｐ１を介して上記各要素に電力が供給されている。またこのとき、接点１ｐ２，５ｐ２同士が互いに接触して電気的に接続しており、記録モジュール５０ａ〜５０ｃと筐体１ａ内の制御ユニット１００との間での信号の送受信が可能となっている。
【００６７】
記録モジュール５０ａ〜５０ｃが装着位置から引出位置に移動するとき、コネクタ１ｐ，５ｐの係合が解除される。このとき、電力出力端子１ｐ１と電力入力端子５ｐ１とが互いに離隔し、電力出力端子１ｐ１と電力入力端子５ｐ１との電気的接続が解除されることで、上記各要素に電力が供給されなくなる。またこのとき、接点１ｐ２，５ｐ２が互いに離隔し、記録モジュール５０ａ〜５０ｃと筐体１ａ内の制御ユニット１００との間での信号の送受信が不能となる。
【００６８】
記録モジュール５０ａ〜５０ｃが筐体１ａから離脱した状態では、コネクタ１ｐ，５ｐの係合が解除されており、電力出力端子１ｐ１と電力入力端子５ｐ１とが互いに離隔して電気的に接続されていないため、上記各要素には電力が供給されない。またこのとき、接点１ｐ２，５ｐ２が互いに離隔しており、記録モジュール５０ａ〜５０ｃと筐体１ａ内の制御ユニット１００との間での信号の送受信が不能である。
【００６９】
制御ユニット１００は、図３に示すように、演算処理装置であるＣＰＵ（Central Processing Unit）１０１、ＲＯＭ（Read Only Memory）１０２、ＲＡＭ（Random Access Memory）１０３、ＡＳＩＣ（Application Specific Integrated Circuit）１０４、Ｉ／Ｆ（Interface）１０５及びＩ／Ｏ（Input/Output Port）１０６を含む。ＲＯＭ１０２は、ＣＰＵ１０１が実行するプログラム等の固定データを記憶している。ＲＡＭ１０３は、ＣＰＵ１０１がプログラムを実行するために必要なデータ（画像データ等）を一時的に記憶する。ＡＳＩＣ１０４は、画像データの書き替え、並び替え等（例えば、信号処理や画像処理）を行う。Ｉ／Ｆ１０５は、外部装置（例えば、プリンタ１に接続されたＰＣ）とデータの送受信を行う。Ｉ／Ｏ１０６は、各種センサと信号の送受信を行う。ＣＰＵ１０１は、制御ユニット１００に含まれるＣＰＵ１０１以外の各部と電気的に接続されており、各部から受信したデータに基づいて制御を行う。なお、記録モジュール５０ａ〜５０ｃのいずれに用紙Ｐが供給されるかは、任意に決定されてよく、例えば、複数の用紙Ｐに対して連続的に記録を行う場合に、上から順番又は下から順番に用紙Ｐが供給されてよい。
【００７０】
次いで、図６（ａ）〜（ｄ）を参照し、ロック機構６０について説明する。
【００７１】
ロック機構６０は、モジュール筐体５内における側壁５ｗ４の近傍に配置されており、回動部材６１、ばね６１Ｓ及び係合部材６５を含む。
【００７２】
回動部材６１は、副走査方向に沿った軸６１ｘを中心として回動可能にモジュール筐体５に支持されている。回動部材６１は、軸６１ｘが設けられ且つ軸６１ｘと直交する方向に延在する基部６１ａと、基部６１ａの上端から主走査方向に沿って側壁５ｗ４から離隔する方向に突出した突出部６１ｂとを有する。
【００７３】
ばね６１Ｓは、基部６１ａの上端と側壁５ｗ４との間に配置されており、回動部材６１を、基部６１ａの上端が主走査方向に沿って側壁５ｗ４から離隔する方向（図６（ａ）において反時計回りの方向）に付勢している。
【００７４】
係合部材６５は、副走査方向に沿った軸６５ｘを中心として回動可能に、回動部材６１の下端に取り付けられている。係合部材６５は、回動部材６１が回動するとき、回動部材６１の下端が主走査方向に移動するのに伴い、主走査方向に移動する。係合部材６５は、主走査方向に移動することで、可動レール１ｌの穴１ｌｘに係合する係合位置（図６（ａ），（ｂ）に示す位置）、及び、穴１ｌｘに係合しない非係合位置（図６（ｃ），（ｃ）に示す位置）を選択的に取ることが可能である。
【００７５】
係合位置にあるとき、係合部材６５は、側壁５ｗ４の穴５ｃと可動レール１ｌの穴１ｌｘとの両方を貫通しており、軸６５ｘが設けられた後端とは反対側の先端が、可動レール１ｌの外側に突出している。このとき、記録モジュール５０ａ〜５０ｃの係合部材６５と筐体１ａの可動レール１ｌとが係合することで、記録モジュール５０ａ〜５０ｃの筐体１ａからの着脱が規制される。
【００７６】
非係合位置にあるとき、係合部材６５は、穴１ｌｘから退避しており、先端が側壁５ｗ４と可動レール１ｌとの間に位置している。このとき、記録モジュール５０ａ〜５０ｃの係合部材６５と筐体１ａの可動レール１ｌとの係合が解除されているため、記録モジュール５０ａ〜５０ｃの筐体１ａからの着脱が許容される。
【００７７】
係合部材６５は、常に（係合位置及び非係合位置のいずれにあるときも）、穴５ｃを貫通し、一部が側壁５ｗ４の外側に突出した状態にある。
【００７８】
キャップ５５が非封止位置にある（即ち、ヘッド５１がキャッピング位置以外の位置にある）とき、図６（ａ），（ｂ）に示すように、係合部材６５は係合位置に配置されている。
【００７９】
キャップ５５が非封止位置から封止位置に切り替えられる（即ち、ヘッド５１がキャッピング位置に到達する）とき、突出部６１ｂがヘッド５１に押され、回動部材６１がばね６１Ｓの付勢力に抗して軸６１ｘを中心として図６（ａ）において時計回りの方向に回動する。これに伴い、係合部材６５が、係合位置から非係合位置に切り替えられる。
【００８０】
なお、キャップ５５の非封止位置から封止位置への切り替えは、ユーザの手動（例えば、操作部材５９ｘを押下して円盤５９ｅを回す動作：図２（ａ）〜（ｃ）参照）によって行われてもよいし、制御ユニット１００がキャリッジ移動機構５２ｘを制御することによって行われてもよい。
【００８１】
キャップ５５が封止位置にある（即ち、ヘッド５１がキャッピング位置にある）とき、図６（ｃ），（ｄ）に示すように、係合部材６５は非係合位置に配置されている。
【００８２】
以上に述べたように、本実施形態に係るプリンタ１は、キャップ５５が封止位置に配置されているとき、記録モジュール５０ａ〜５０ｃの筐体１ａからの着脱を許容し、キャップ５５が非封止位置に配置されているとき、記録モジュール５０ａ〜５０ｃの筐体１ａからの着脱を規制するように構成されたロック機構６０を備えている。つまり、ロック機構６０により、キャップ５５が封止位置にあるときだけ記録モジュール５０ａ〜５０ｃの筐体１ａからの着脱が許可される。したがって、筐体１ａから離脱した記録モジュール５０ａ〜５０ｃにおいて、水頭差のバランスが崩れて吐出口５１ｂからインクが漏れ出したとしても、当該インクはキャップ５５により受容される。これにより、筐体１ａから離脱された記録モジュール５０ａ〜５０ｃにおいて吐出口５１ｂから漏れ出したインクが記録モジュール５０ａ〜５０ｃ内で飛散するのを抑制することができる。
【００８３】
用紙Ｐのジャムが生じた場合、通常、キャップ５５は非封止位置にある（図２（ａ）参照）。この場合に記録モジュール５０ａ〜５０ｃを筐体１ａから離脱させてジャム処理を行おうとすると、電力入力端子５ｐ１が電力出力端子１ｐ１と電気的に接続せず、キャリッジモータ５２Ｍに電力が供給されない状態になる。そのため、キャップ５５を非封止位置から封止位置に切り替えることができず、水頭差のバランスが崩れて吐出口５１ｂから漏れ出したインクが記録モジュール５０ａ〜５０ｃ内に飛散するという問題が生じ得る。しかし本実施形態では、ロック機構６０により、キャップ５５が封止位置にあるときだけ記録モジュール５０ａ〜５０ｃの筐体１ａからの着脱が許可されるようにしたことで、当該問題を抑制することができる。
【００８４】
ヘッド５１が移動することでキャップ５５が非封止位置から封止位置に切り替えられたときに、係合部材６５が係合位置から非係合位置に切り替えられる（図６（ａ），（ｂ）参照）。上記構成によれば、ロック解除（係合部材６５の係合位置から非係合位置への切り替え）を電気的な制御ではなく機械的な機構で実現するため、記録モジュール５０ａ〜５０ｃへの電力供給が遮断された場合に特に有効である。
【００８５】
続いて、図７〜図９を参照し、本発明の第２実施形態に係るプリンタについて説明する。第２実施形態は、ロック機構を含む記録モジュールの構成部品が第１実施形態と異なり、それ以外は第１実施形態と同じである。
【００８６】
本実施形態のロック機構１６０は、図７（ａ），（ｂ）に示すように、モジュール筐体５内における側壁５ｗ４の近傍に配置されており、フラッパーソレノイド１６１及び係合部材１６５を含む。
【００８７】
フラッパーソレノイド１６１は、副走査方向に沿った軸１６１ｘを中心として回動可能な可動板１６１ｐを有する。可動板１６１ｐは、フラッパーソレノイド１６１がＯＦＦの場合、図７（ａ）に示すように、軸１６１ｘが設けられた基端から、基端とは反対側の先端に向かうにつれて、側壁５ｗ４に近づくように傾斜した状態にある。可動板１６１ｐは、フラッパーソレノイド１６１がＯＮの場合、図７（ｂ）に示すように、鉛直方向に沿って延在した状態になる。
【００８８】
係合部材１６５は、副走査方向に沿った軸１６５ｘを中心として回動可能に、可動板１６１ｐの先端に取り付けられている。係合部材１６５は、可動板１６１ｐが回動するとき、可動板１６１ｐの先端が主走査方向に移動するのに伴い、主走査方向に移動する。係合部材１６５は、主走査方向に移動することで、可動レール１ｌの穴１ｌｘに係合する係合位置（図７（ａ）に示す位置）、及び、穴１ｌｘに係合しない非係合位置（図７（ｂ）に示す位置）を選択的に取ることが可能である。つまり、フラッパーソレノイド１６１が本発明に係る「係合部材１６５が係合位置及び非係合位置を選択的に取るように係合部材１６５を移動させるための係合部材移動機構」に該当し、フラッパーソレノイド１６１がＯＦＦのとき係合部材１６５は係合位置にあり、フラッパーソレノイド１６１がＯＮのとき係合部材１６５は非係合位置にある。
【００８９】
係合位置にあるとき、係合部材１６５は、側壁５ｗ４の穴５ｃと可動レール１ｌの穴１ｌｘとの両方を貫通しており、軸１６５ｘが設けられた後端とは反対側の先端が、可動レール１ｌの外側に突出している。このとき、記録モジュール５０ａ〜５０ｃの係合部材１６５と筐体１ａの可動レール１ｌとが係合することで、記録モジュール５０ａ〜５０ｃの筐体１ａからの着脱が規制される。
【００９０】
非係合位置にあるとき、係合部材１６５は、穴１ｌｘから退避しており、先端が側壁５ｗ４と可動レール１ｌとの間に位置している。このとき、記録モジュール５０ａ〜５０ｃの係合部材６５と筐体１ａの可動レール１ｌとの係合が解除されているため、記録モジュール５０ａ〜５０ｃの筐体１ａからの着脱が許容される。
【００９１】
係合部材１６５は、常に（係合位置及び非係合位置のいずれにあるときも）、穴５ｃを貫通し、一部が側壁５ｗ４の外側に突出した状態にある。
【００９２】
本実施形態の記録モジュール５０ａ〜５０ｃは、それぞれ、図８に示すように、第１実施形態で述べたヘッド５１等の他、モジュール制御部５８Ｐ、ジャムセンサ１７０、キャッピングセンサ１８０及びモジュール電源２５０を含む。モジュール制御部５８Ｐ、フラッパーソレノイド１６１、ジャムセンサ１７０キャッピングセンサ１８０は、ヘッド５１等と同様、「記録モジュール５０ａ〜５０ｃにおいて電力供給が必要な要素」であり、電力入力端子５ｐ１と電気的に接続されており、電力入力端子５ｐ１が電力出力端子１ｐ１と電気的に接続したときに電力出力端子１ｐ１を介して入力される電力が供給される。
【００９３】
ジャムセンサ１７０は、用紙Ｐのジャム処理が完了したことを検知するためのものであり、吐出面５１ａと対向する位置に用紙Ｐが有るときにＯＮ信号、吐出面５１ａと対向する位置に用紙Ｐが無いときにＯＮ信号を出力する。
【００９４】
キャッピングセンサ１８０は、キャップ５５が非封止位置から封止位置に切り替えられた（即ち、ヘッド５１がキャッピング位置に到達した）ことを検知するためのものであり、ヘッド５１がキャッピング位置にあるときにＯＮ信号、ヘッド５１がキャッピング位置にないときにＯＦＦ信号を出力する。
【００９５】
モジュール電源２５０は、モジュール筐体５内に配置されており、電力入力端子５ｐ１と電力出力端子１ｐ１との電気的接続が解除されたときに、記録モジュール５０ａ〜５０ｃにおいて電力供給が必要な要素に電力を供給する。モジュール電源２５０は、電力入力端子５ｐ１が電力出力端子１ｐ１と電気的に接続したときに、電源１５０から供給された電力を蓄積可能に構成されている。
【００９６】
モジュール制御部５８Ｐは、メモリ５８Ｍと共に基板５８に実装されている。モジュール制御部５８Ｐは、本発明に係る「制御部」に該当し、図９に示すような制御を実行する。
【００９７】
モジュール制御部５８Ｐは、先ず、当該記録モジュールが筐体１ａから引き出された（即ち、装着位置から引出位置に向けて移動を開始した）か否かを判断する（Ｓ１）。モジュール制御部５８Ｐは、コネクタ５ｐ，１ｐ間の接続が解除された場合に、当該記録モジュールが筐体１ａから引き出された（Ｓ１：ＹＥＳ）と判断する。
【００９８】
当該記録モジュールが筐体１ａから引き出されていない場合（Ｓ１：ＮＯ）、モジュール制御部５８Ｐは、Ｓ１の処理を繰り返す。当該記録モジュールが筐体１ａから引き出された場合（Ｓ１：ＹＥＳ）、モジュール制御部５８Ｐは、ジャム処理が完了しているか否かを判断する（Ｓ２）。モジュール制御部５８Ｐは、ジャムセンサ１７０からＯＮ信号が出力されている場合、ジャム処理が完了していない（Ｓ２：ＮＯ）と判断し、ジャムセンサ１７０からＯＦＦ信号が出力されている場合、ジャム処理が完了している（Ｓ２：ＹＥＳ）と判断する。Ｓ２：ＹＥＳは、本発明に係る「ジャム処理検知処理」に該当する。
【００９９】
ジャム処理が完了していないと判断した場合（Ｓ２：ＮＯ）、モジュール制御部５８Ｐは、ジャム処理要請の報知を行う（Ｓ３）。Ｓ３において、モジュール制御部５８Ｐは、当該記録モジュールに設けられた出力部（例えば、発光部、ディスプレイ等の画像出力部、スピーカ等の音声出力部）を介して、ジャム処理を行う必要があることをユーザに報知する。Ｓ３の後、モジュール制御部５８Ｐは、処理をＳ２に戻す。
【０１００】
ジャム処理が完了したと判断した場合（Ｓ２：ＹＥＳ）、モジュール制御部５８Ｐは、キャッピングセンサ１８０からの信号に基づき、ヘッド５１がキャッピング位置にある（即ち、キャップ５５が封止位置にある）か否かを判断する（Ｓ４）。モジュール制御部５８Ｐは、キャッピングセンサ１８０からＯＮ信号が出力されている場合、ヘッド５１がキャッピング位置にある（Ｓ４：ＹＥＳ）と判断し、キャッピングセンサ１８０からＯＦＦ信号が出力されている場合、ヘッド５１がキャッピング位置にない（Ｓ４：ＮＯ）と判断する。Ｓ４：ＹＥＳは、本発明に係る「キャッピング検知処理」に該当する。
【０１０１】
ヘッド５１がキャッピング位置にないと判断した場合（Ｓ４：ＮＯ）、モジュール制御部５８Ｐは、キャリッジモータ５２Ｍを駆動させ、ヘッド５１をキャッピング位置に移動させる（Ｓ５）。Ｓ５は、本発明に係る「キャッピング処理」に該当する。Ｓ５の後、モジュール制御部５８Ｐは、処理をＳ４に戻す。
【０１０２】
ヘッド５１がキャッピング位置にあると判断した場合（Ｓ４：ＹＥＳ）、モジュール制御部５８Ｐは、フラッパーソレノイド１６１がＯＮになっている（即ち、係合部材１６５が非係合位置にある）か否かを判断する（Ｓ６）。モジュール制御部５８Ｐは、フラッパーソレノイド１６１がＯＮになっていると判断した場合（Ｓ６：ＹＥＳ）、当該ルーチンを終了する。モジュール制御部５８Ｐは、フラッパーソレノイド１６１がＯＮになっていないと判断した場合（Ｓ６：ＮＯ）、フラッパーソレノイド１６１をＯＮにし、係合部材１６５を非係合位置から係合位置に切り替える（Ｓ７）。Ｓ７は、本発明に係る「ロック解除処理」に該当する。Ｓ７の後、モジュール制御部５８Ｐは、当該ルーチンを終了する。
【０１０３】
以上に述べたように、本実施形態によれば、第１実施形態と同様の構成による同様の効果に加え、以下のような効果を得ることができる。
【０１０４】
モジュール制御部５８Ｐによって、キャップ５５が非封止位置から封止位置に切り替えられたことが検知されたときに（Ｓ４：ＹＥＳ）、係合部材１６５が係合位置から非係合位置に切り替えられるようにフラッパーソレノイド１６１を制御する（Ｓ７）。このように、ロック解除を電気的な制御で実現するため、フラッパーソレノイド１６１のような比較的簡単な構成の係合部材移動機構を採用することができる。
【０１０５】
各記録モジュール５０ａ〜５０ｃがモジュール電源２５０を有しており、電力入力端子５ｐ１と電力出力端子１ｐ１との電気的接続が解除されたとき、モジュール制御部５８Ｐ及びフラッパーソレノイド１６１にモジュール電源２５０から電力が供給される。したがって、記録モジュール５０ａ〜５０ｃが装着位置から引出位置に移動し、電力入力端子５ｐ１と電力出力端子１ｐ１との電気的接続が解除された場合でも、モジュール制御部５８Ｐは、モジュール電源２５０からの電力供給により、上記のようなキャッピング検知処理（Ｓ４：ＹＥＳ）及びロック解除処理（Ｓ７）を行うことができる。したがって、ユーザが特に意識しなくとも、キャップ５５が封止位置にある状態でロックが解除され、記録モジュール５０ａ〜５０ｃ内でのインクの飛散を抑制しつつ、記録モジュール５０ａ〜５０ｃを筐体１ａから離脱させることができる。
【０１０６】
電力入力端子５ｐ１と電力出力端子１ｐ１との電気的接続が解除されたとき、キャリッジモータ５２Ｍにも、モジュール電源２５０から電力が供給される。したがって、記録モジュール５０ａ〜５０ｃが装着位置から引出位置に移動し、電力入力端子５ｐ１と電力出力端子１ｐ１との電気的接続が解除された場合でも、モジュール制御部５８Ｐは、モジュール電源２５０からの電力供給により、ジャム処理が完了した後に（Ｓ２：ＹＥＳ）、キャッピング処理（Ｓ５）を行うことができる。そのため、キャップ５５を非封止位置から封止位置に切り替えるためにユーザがヘッド５１及びキャップ５５の少なくとも一方を手動で移動させる必要がない。
【０１０７】
モジュール電源２５０は、電力入力端子５ｐ１が電力出力端子１ｐ１と電気的に接続したときに、電源１５０から供給された電力を蓄積可能に構成されている。上記構成によれば、モジュール電源２５０に対する充電を、追加の構成要素を付加することなく行うことができる。
【０１０８】
続いて、図１０を参照し、本発明の第３実施形態に係るプリンタについて説明する。第３実施形態は、モジュール制御部５８Ｐが実行する制御内容が第２実施形態と異なり、それ以外は第２実施形態と同じである。
【０１０９】
本実施形態においてモジュール制御部５８Ｐが行うＳ１１〜Ｓ１７は、第２実施形態においてモジュール制御部５８Ｐが行うＳ１〜Ｓ７と、Ｓ１５とＳ５とが異なるだけで、それ以外は同じである。つまり、本実施形態において、モジュール制御部５８Ｐは、キャッピング処理（Ｓ５）を行う代わりに、キャッピング要請の報知（Ｓ１５）を行う。Ｓ１５において、モジュール制御部５８Ｐは、当該記録モジュールに設けられた出力部（例えば、発光部、ディスプレイ等の画像出力部、スピーカ等の音声出力部）を介して、キャップ５５を非封止位置から封止位置に切り替える必要があることをユーザに報知する。Ｓ１５は、本発明に係る「報知処理」に該当する。また、Ｓ１は、「離脱検知処理」に該当する。
【０１１０】
以上に述べたように、本実施形態によれば、第２実施形態と同様の構成による同様の効果に加え、以下のような効果を得ることができる。
【０１１１】
Ｓ１５の報知に応じてユーザがヘッド５１及びキャップ５５の少なくとも一方を手動（例えば、操作部材５９ｘを押下して円盤５９ｅを回す動作：図２（ａ）〜（ｃ）参照）で移動させ、キャップ５５が非封止位置から封止位置に切り替えられれば、モジュール制御部５８Ｐのロック解除処理（Ｓ１７）によりロックが解除され、記録モジュール５０ａ〜５０ｃ内でのインクの飛散を抑制しつつ、記録モジュール５０ａ〜５０ｃを筐体１ａから離脱させることができる。
【０１１２】
続いて、図１１（ａ），（ｂ）を参照し、本発明の第４実施形態に係るプリンタについて説明する。第４実施形態は、各記録モジュール５０ａ〜５０ｃに、コネクタ５ｐとコネクタ１ｐとを接続する導電性の接続部材４００が設けられた点が第１実施形態と異なり、それ以外は第１実施形態と同じである。
【０１１３】
接続部材４００は、搬送方向Ｄ（装着位置から引出位置に向かう引出方向）に沿って伸縮自在なカールコードであり、当該記録モジュールが装着位置から引出位置に移動する間、コネクタ５ｐ，１ｐ間の接続（即ち、電力出力端子１ｐ１と電力入力端子５ｐ１との接続、及び、接点１ｐ２と接点５ｐ２との接続）を維持可能である。
【０１１４】
本実施形態において、記録モジュール５０ａ〜５０ｃの筐体１ａに対する着脱方向は鉛直方向（装着方向は下方、離脱方向は上方）である。コネクタ５ｐは、モジュール筐体５の下壁５ｗ６に設けられており、接続部材４００と鉛直方向に接続されている。記録モジュール５０ａ〜５０ｃが筐体１ａから離脱される際に、当該記録モジュールが筐体１ａに対して上方に移動されるのに伴い、コネクタ５ｐが接続部材４００から離隔し、コネクタ５ｐ，１ｐ間の接続が解除される。
【０１１５】
以上に述べたように、本実施形態によれば、第１実施形態と同様の構成による同様の効果に加え、以下のような効果を得ることができる。
【０１１６】
接続部材４００を設けたことにより、記録モジュール５０ａ〜５０ｃが引出位置にあるときに、電力入力端子５ｐ１と電力出力端子１ｐ１との電気的接続が解除されていないので、キャリッジ移動機構５２ｘを駆動してキャップ５５を非封止位置から封止位置に切り替えることができる。
【０１１７】
電力入力端子５ｐ１は、記録モジュール５０ａ〜５０ｃの着脱方向と平行な方向に接続部材４００と接続されており、当該記録モジュールが筐体１ａから離脱されるときに接続部材４００から離隔する。上記構成によれば、記録モジュール５０ａ〜５０ｃを筐体１ａから離脱させる動作によって電力入力端子５ｐ１と電力出力端子１ｐ１との電気的接続が解除されるため、電気的接続解除のための追加の作業が不要であり、ユーザの負担を軽減することができる。
【０１１８】
以上、本発明の好適な実施の形態について説明したが、本発明は上述の実施形態に限られるものではなく、特許請求の範囲に記載した限りにおいて様々な設計変更が可能なものである。
【０１１９】
・記録装置が複数の記録モジュールを含む場合に、当該複数の記録モジュールのいずれかに対してロック機構が設けられなくてもよい。
・１の記録モジュールに対するロック機構の数は、上述の実施形態では１つであるが、任意であり、複数であってもよい。
・記録モジュール及び筐体の一方に設けられた係合部材が係合する他方の部分は、貫通孔に限定されず、凹部等であってもよい。
・係合部材は、上述の実施形態では記録モジュールに設けられているが、筐体に設けられてもよい。
・ロック機構の構成は、上述の実施形態の構成に限定されず、任意であり、カム・ギヤを含む機構等であってもよい。
・記録モジュールの筐体からの引出方向は、搬送方向であることに限定されず、搬送方向と直交する方向（例えば主走査方向）等であってもよい。また、記録モジュールの筐体に対する着脱方向は、特に限定されず（例えば搬送方向でもよく）、また、引出方向と同じであってもよいし異なってもよい。
・上述の実施形態では、記録モジュールを筐体から引き出して引出位置に配置してから、記録モジュールの筐体に対する着脱を行う構成であるが、これに限定されない。
・制御部は、キャッピング検知処理やジャム処理検知処理を、センサからの信号に基づいて行うことに限定されず、キャリッジモータやモジュール搬送モータのエンコーダからの信号に基づいて行ってもよい。
・記録モジュールに設けられた制御部ではなく、筐体に設けられた制御部（ＣＰＵ１０１）が、本発明に係る「制御部」として機能し、キャッピング検知処理、ロック解除処理、離脱検知処理、報知処理等を行ってもよい。
・第３実施形態では、離脱検知処理として、記録モジュールが装着位置から引出方向に向けて実際に移動を開始したことを検知する処理を採用したが、これに限定されず、記録モジュールが装着位置から引出方向に向けて移動を開始する前の事象（ジャムの発生、ユーザによるボタンの押下等）や、記録モジュールが引出位置に配置された後、筐体から離脱される前の事象を検知する処理であってもよい。
・接続部材を有する場合において、電力入力端子と接続部材とは、着脱方向と平行な方向に接続されることに限定されず、任意の方向に接続されてよい。例えば、第４実施形態において、コネクタ５ｐがモジュール筐体５の側壁５ｗ２に設けられており、コネクタ５ｐと接続部材４００とが搬送方向Ｄ（引出方向）と平行な方向に接続されてよい。また、記録モジュールが筐体から離脱されるときに電力入力端子が接続部材から離隔することに限定されない。例えば、第４実施形態において、記録モジュールが引出位置に配置された状態で、ユーザが、コネクタ５ｐと接続部材４００との接続を手動で解除し、その後記録モジュールを筐体から離脱させてよい。
・記録装置に含まれる記録モジュールの数は、任意であり、１つであってもよい。
・液体吐出部は、シリアル式に限定されず、ライン式であってもよい。
・搬送機構は、記録媒体を挟持しつつ回転するローラ対を含む構成に限定されず、記録媒体を表面に支持しつつ走行するベルトを含む構成であってもよい。
・液体収容部に収容される液体は、インクに限定されず、インク中の成分を凝集又は析出させる処理液等であってもよい。
・液体収容部は、記録モジュールに対して着脱可能及び着脱不能のいずれであってもよい。
・移動機構は、液体吐出部を移動させずにキャップを移動させてもよく、また、液体吐出部及びキャップの両方を移動させてもよい。
・記録モジュールは、基板を支持していなくてもよい。
・記録装置は、プリンタに限定されず、ファクシミリ、コピー機、複合機等であってもよい。
・記録媒体は、用紙に限定されず、布等であってもよい。
【符号の説明】
【０１２０】
１  インクジェットプリンタ（記録装置）
１ａ  筐体
１ｐ１  電力出力端子
３  用紙収容部（記録媒体収容部）
５ｐ１  電力入力端子
２０ｘ  上流搬送機構（搬送機構）
５０ａ〜５０ｃ  記録モジュール
５１  インクジェットヘッド（液体吐出部）
５１ａ  吐出面
５１ｂ  吐出口
５２ｘ  キャリッジ移動機構（移動機構）
５５  キャップ
５７  インク収容部（液体収容部）
５８Ｐ  モジュール制御部（制御部）
６０  ロック機構
６５  係合部材
１５０  電源
１６０  ロック機構
１６１  フラッパーソレノイド（係合部材移動機構）
１６５  係合部材
２５０  モジュール電源
４００  接続部材
Ｐ  用紙（記録媒体）
Ｒｘａ〜Ｒｘｃ  移動経路
【図１】
0006485168.tif 000002
【図２】
0006485168.tif 000003
【図３】
0006485168.tif 000004
【図４】
0006485168.tif 000005
【図５】
0006485168.tif 000006
【図６】
0006485168.tif 000007
【図７】
0006485168.tif 000008
【図８】
0006485168.tif 000009
【図９】
0006485168.tif 000010
【図１０】
0006485168.tif 000011
【図１１】
0006485168.tif 000012